(57)【要約】【課題】低損失かつ広帯域なインピーダンス整合を実現することができるインピーダンス整合回路を得ることを目的とする。【解決手段】信号源が入力端子１ａに接続されて、インピーダンス整合の対象である負荷２が通過端子１ｂに接続されており、その負荷２が有する反射係数に応じて結合度Ｃが決定されている方向性結合器１と、方向性結合器１のアイソレーション端子に接続されている無反射終端３とを備え、その負荷２が有する反射係数に応じて電気長θが決定された先端開放スタブ４が方向性結合器１の結合端子に接続されている。【選択図】図１
2012248949.tif 000002
【特許請求の範囲】
【請求項１】
信号源が入力端子に接続されて、インピーダンス整合の対象である負荷が通過端子に接続されており、上記負荷が有する反射係数に応じて結合度が決定されている方向性結合器と、上記方向性結合器のアイソレーション端子に接続されている無反射終端と、上記方向性結合器の結合端子に接続され、上記負荷が有する反射係数に応じて反射振幅及び反射位相特性が決定された反射回路とを備えたインピーダンス整合回路。
【請求項２】
反射回路は、負荷が有する反射係数に応じて電気長が決定されている分布定数線路を用いて構成されていることを特徴とする請求項１記載のインピーダンス整合回路。
【請求項３】
反射回路は、負荷が有する反射係数に応じて電気長が決定されている分布定数線路と、上記分布定数線路に対して直列又はシャントに接続されている複数の容量性素子あるいは誘導性素子とを用いて構成されていることを特徴とする請求項１記載のインピーダンス整合回路。
【請求項４】
反射回路は、インピーダンス整合周波数帯域の中心周波数が共振周波数である１以上の共振回路を用いて構成されていることを特徴とする請求項１記載のインピーダンス整合回路。
【請求項５】
反射回路と並列に抵抗素子が接続されていることを特徴とする請求項１から請求項４のうちのいずれか１項記載のインピーダンス整合回路。
【発明の詳細な説明】
【技術分野】
【０００１】
この発明は、周波数依存性を有する負荷を整合対象とするインピーダンス整合回路に関するものである。
【背景技術】
【０００２】
周波数依存性を有する負荷を整合対象とするインピーダンス整合回路としては、例えば、分布定数線路とスタブなどのリアクタンス素子から構成されているリアクティブな無損失整合回路や、リアクティブな可変整合回路、あるいは、抵抗素子からなる減衰器などがある。
【０００３】
図６は一般的なインピーダンス整合回路を示す構成図である。
特に図６（ａ）のインピーダンス整合回路は、分布定数線路と先端開放スタブからなるリアクティブなＬ型整合回路であり、図６（ｂ）のインピーダンス整合回路は、抵抗素子からなるπ型減衰器である。
図６（ａ）のＬ型整合回路では、信号源、負荷のインピーダンス及び整合周波数が与えられると、完全なインピーダンス整合を取るために、分布定数線路及び先端開放スタブの電気長と特性インピーダンスが定められる。
一方、図６（ｂ）のπ型減衰器では、厳密には完全なインピーダンス整合を取ることはできない（完全な反射抑圧はできない）が、負荷の反射係数をΓ、減衰器の減衰量をＡ（０＜Ａ＜１）とすると、信号源から見た反射係数を広帯域に亘ってΓＡ２に減じることができる。
【０００４】
各種の高周波回路において、信号源と負荷の間でインピーダンス整合を取るにあたり、時として、整合対象となる負荷のインピーダンスが大きな周波数依存性を有する場合がある。
例えば、アンテナなどのように、等価的に共振回路を含むような負荷が該当する。
整合対象となる負荷のインピーダンスが周波数依存性を有する場合、図７のスミスチャートに示すように、決して小さくはない反射係数Γで、その反射位相が動作周波数範囲内で大きく回転する。
【０００５】
図６（ａ）のＬ型整合回路を用いる場合、周波数依存性を有する負荷のインピーダンス整合を十分に取ることはできない。
例えば、図７の点Ｘの負荷インピーダンスが点Ｘ’に動くことで、完全整合が取れるように図６（ａ）のＬ型整合回路が設計されている場合、点Ｙの負荷は、点Ｙ’に動いてしまうため、その反射係数が却って増大してしまうことがある。
【０００６】
負荷インピーダンスの周波数依存性が比較的小さい場合には、図６（ａ）のＬ型整合回路を多段に従続接続することで、より広帯域な整合が取れることが定性的には知られているが、図７に示したような周波数依存性の大きな負荷に対しては殆ど効果を呈さない。
そこで、リアクティブな整合回路に対して可変リアクタンス素子を導入することで、動作の対象となる周波数帯域の全域に亘る広帯域整合を断念する代わりに、実際の動作における占有帯域幅のインピーダンス整合を確保することが考えられてきている。
【０００７】
図８は特許文献１に開示されている反射形可変整合回路を示す等価回路である。
図８において、１１０は結合度３ｄＢの方向性結合器、１１１ａ，１１１ｂは可変反射回路である。
図８の反射形可変整合回路において、方向性結合器１１０から可変反射回路１１１ａ，１１１ｂを見た反射係数をΓ１，Γ２とすると、反射形可変整合回路全体のＳ行列は、以下の式（１），（２）で与えられる。
Ｓ１１＝Ｓ２２＝（Γ１−Γ２）／２                        （１）
Ｓ２１＝Ｓ１２＝−ｊ（Γ１＋Γ２）／２                    （２）
【０００８】
したがって、バラクタダイオードなどの可変リアクタンス素子を用いて可変反射回路１１１ａ，１１１ｂを構成し、整合対象となる負荷のインピーダンスに応じて反射係数Γ１，Γ２を変化させて、整合回路のＳパラメータを適切に設定すれば、負荷インピーダンスに対して完全整合を取ることが可能となる。
しかし、この方法では、広帯域に亘って整合を取ることは極めて困難であり、可変リアクタンス素子を用いることで、回路の複雑化や大型化を招く原因となる。
【０００９】
なお、図６（ｂ）のπ型減衰器を用いることで、インピーダンス不整合に起因する不要反射を吸収させる場合、一般的に、π型減衰器は十分な広帯域性を有しているため、広帯域に亘ってインピーダンス不整合を軽減することが可能になるが、同時に通過損失が生じてしまう問題がある。
例えば、反射係数Γ＝−１０ｄＢの負荷に対して、Ａ＝−３ｄＢ（＝０．７）のπ型減衰器を適用する場合、信号源から負荷を見込んだ反射係数をΓＡ２＝−１６ｄＢにまで低減することができるが、同時に３ｄＢの通過損失が生じる。
【先行技術文献】
【特許文献】
【００１０】
【特許文献１】特開２００５−３１１７１１号公報（図２）
【発明の概要】
【発明が解決しようとする課題】
【００１１】
従来のインピーダンス整合回路は以上のように構成されているので、分布定数線路と先端開放スタブからなるリアクティブなＬ型整合回路を用いる場合、広帯域に亘って整合を取ることが困難であり、また、可変リアクタンス素子を用いることで、回路の複雑化や大型化を招く課題があった。
π型減衰器を用いる場合、広帯域に亘ってインピーダンス不整合を軽減することが可能になるが、同時に通過損失が生じてしまう課題があった。
【００１２】
この発明は上記のような課題を解決するためになされたもので、低損失かつ広帯域なインピーダンス整合を実現することができるインピーダンス整合回路を得ることを目的とする。
【課題を解決するための手段】
【００１３】
この発明に係るインピーダンス整合回路は、信号源が入力端子に接続されて、インピーダンス整合の対象である負荷が通過端子に接続されており、その負荷が有する反射係数に応じて結合度が決定されている方向性結合器と、方向性結合器のアイソレーション端子に接続されている無反射終端とを備え、その負荷が有する反射係数に応じて反射振幅及び反射位相特性が決定された反射回路が方向性結合器の結合端子に接続されているようにしたものである。
【発明の効果】
【００１４】
この発明によれば、信号源が入力端子に接続されて、インピーダンス整合の対象である負荷が通過端子に接続されており、その負荷が有する反射係数に応じて結合度が決定されている方向性結合器と、方向性結合器のアイソレーション端子に接続されている無反射終端とを備え、その負荷が有する反射係数に応じて反射振幅及び反射位相特性が決定された反射回路が方向性結合器の結合端子に接続されているように構成したので、低損失かつ広帯域なインピーダンス整合を実現することができる効果がある。
【図面の簡単な説明】
【００１５】
【図１】この発明の実施の形態１によるインピーダンス整合回路を示す構成図である。
【図２】この発明の実施の形態２によるインピーダンス整合回路を示す構成図である。
【図３】この発明の実施の形態２によるインピーダンス整合回路を示す構成図である。
【図４】この発明の実施の形態３によるインピーダンス整合回路を示す構成図である。
【図５】この発明の実施の形態４によるインピーダンス整合回路を示す構成図である。
【図６】一般的なインピーダンス整合回路を示す構成図である。
【図７】整合対象となる負荷のインピーダンスが周波数依存性を有する場合、反射位相が動作周波数範囲内で大きく回転する旨を示す説明図である。
【図８】特許文献１に開示されている反射形可変整合回路を示す等価回路である。
【発明を実施するための形態】
【００１６】
実施の形態１．
図１はこの発明の実施の形態１によるインピーダンス整合回路を示す構成図である。
図１において、方向性結合器１は周波数依存性を有する負荷２の反射係数に応じて結合度が決定されている。
方向性結合器１の入力端子１ａには信号源が接続され、方向性結合器１の通過端子１ｂにはインピーダンス整合の対象である負荷２が接続される。
【００１７】
方向性結合器１のアイソレーション端子には無反射終端３が接続される。
方向性結合器１の結合端子には負荷２が有する反射係数に応じて反射振幅及び反射位相特性が決定されている反射回路が接続されており、その反射回路は、負荷２が有する反射係数に応じて電気長θが決定されている先端開放スタブ４を用いて構成されている。
【００１８】
次に動作について説明する。
信号源と接続されている入力端子１ａから入力された入射波は、方向性結合器１を通過するが、通過端子１ｂに接続されている負荷２に反射される。
その反射波は、再び、方向性結合器１を通過して、信号源側の入力端子１ａに至る成分Ｖａと、方向性結合器１の結合端子に至り、その結合端子に接続されている先端開放スタブ４に全反射されて、再び方向性結合器１を通過して、信号源側の入力端子１ａに至る成分Ｖｂとからなる。
【００１９】
ここで、信号源側の入力端子１ａにおける入射波の振幅をＶｏ、方向性結合器１の結合度をＣとする。
また、負荷２が有する反射係数は振幅特性｜Γ|と位相特性φで表され、その振幅特性｜Γ|と位相特性φは既知であるとする。
この場合、方向性結合器１の結合端子から先端開放スタブ４を見た反射振幅が１、反射位相が−２θになることを考えると、上記反射波の成分Ｖａは、下記の式（３）のように表される。
Ｖａ
＝−ｊＶｏ（１−Ｃ２）０．５×｜Γ｜ｅｘｐ［−ｊφ］×［−ｊ（１−Ｃ２）０．５］
＝−Ｖｏ｜Γ｜（１−Ｃ２）ｅｘｐ［−ｊφ］
（３）
【００２０】
また、上記反射波の成分Ｖｂは、下記の式（４）のように表される。
Ｖｂ
＝ＣＶｏ×ｅｘｐ［−ｊ２θ］×Ｃ
＝Ｃ２Ｖｏｅｘｐ［−ｊ２θ］
（４）
【００２１】
したがって、信号源と接続されている入力端子１ａで反射波が０となる完全整合を取るためには、Ｖａ＋Ｖｂ＝０とする必要がある。
式（３），（４）より、Ｖａ＋Ｖｂ＝０となる条件は、下記の式（５），（６）のように導出される。
Ｃ＝［｜Γ|／（１＋｜Γ|）］０．５                            （５）
θ＝φ／２                                                  （６）
【００２２】
よって、方向性結合器１の通過端子１ｂに接続される負荷２の反射係数｜Γ｜ｅｘｐ［−ｊφ］が与えられると、式（５），（６）に基づいて、方向性結合器１の結合度Ｃと、先端開放スタブ４の電気長θを設計することで、周波数依存性が大きな負荷２に対して、広帯域に整合を取ることが可能になる。
【００２３】
ただし、この実施の形態１では、信号源から与えられる入射波の一部が方向性結合器１の結合端子に分波されるため、負荷２に到達する通過波は、その分だけ失われることになる。
その損失量は、（１−Ｃ２）０．５により与えられ、例えば、振幅特性が｜Γ|＝−１０ｄＢであるとすると、上記の式（５）より、結合度はＣ＝０．４９（−６．２ｄＢ）となり、損失量は（１−Ｃ２）０．５＝０．８７（−１．２ｄＢ）となる。
【００２４】
上述したように、図６（ｂ）のπ型減衰器を用いている場合、同一の通過損失を許容して得られる反射係数は、−１０−２×１．２＝−１２．４ｄＢにしかならず、残留反射が比較的大きくなるが、この実施の形態１のインピーダンス整合回路では、残留反射を０（−∞ｄＢ）とすることが可能になる。
【００２５】
この実施の形態１のインピーダンス整合回路の動作帯域幅を広帯域化するには、如何にして、広帯域に亘って式（５）を満たす方向性結合器１を実現し、式（６）を満たす先端開放スタブ４を実現するかに依存している。
負荷２の反射振幅｜Γ｜の周波数依存性が大きい場合には、式（５）を広帯域に亘って満たすような方向性結合器１を実現することは極めて困難であるが、反射振幅｜Γ｜が整合帯域幅に亘ってほぼ一定となる場合には、例えば、結合線路形のカプラを方向性結合器１として用いることで、数オクターブに亘る広帯域な特性を得ることができる。
なお、式（５）が厳密には満たされないとしても、式（６）の位相条件を極力満たすようにすることで、上述した２つの反射波成分Ｖａ，Ｖｂが互いに相当量相殺されることになるため、実用上十分なインピーダンス整合効果を得ることができる。
【００２６】
一方、式（６）を満たす先端開放スタブ４の設計については、仮に、負荷２の位相特性φが周波数に対する一次関数の関係とみなせるような周波数分散性の小さな特性であれば、この実施の形態１により十分なインピーダンス整合効果が得られる。
逆に負荷２の位相特性φが周波数に対して、一次関数であるとはみなせないような周波数分散性の大きな特性である場合には、この実施の形態１による広帯域なインピーダンス整合は難しくなり、後述する別の実施の形態に依ることになる。
【００２７】
以上で明らかなように、この実施の形態１によれば、信号源が入力端子１ａに接続されて、インピーダンス整合の対象である負荷２が通過端子１ｂに接続されており、その負荷２が有する反射係数に応じて結合度Ｃが決定されている方向性結合器１と、方向性結合器１のアイソレーション端子に接続されている無反射終端３とを備え、その負荷２が有する反射係数に応じて電気長θが決定された先端開放スタブ４が方向性結合器１の結合端子に接続されているように構成したので、反射係数の周波数依存性が比較的大きな負荷２に対して、低損失かつ広帯域なインピーダンス整合を実現することができる効果を奏する。
【００２８】
実施の形態２．
図２はこの発明の実施の形態２によるインピーダンス整合回路を示す構成図であり、図において、図１と同一符号は同一または相当部分を示すので説明を省略する。
方向性結合器１の結合端子には負荷２が有する反射係数に応じて反射振幅及び反射位相特性が決定されている反射回路が接続されており、その反射回路は、負荷２が有する反射係数に応じて電気長θが決定されている分布定数線路１１と、分布定数線路１１に対して周期的（あるいは、準周期的）にシャントに装荷されている複数の先端開放スタブ１２（容量性素子）とを用いて構成されている。
【００２９】
次に動作について説明する。
上記実施の形態１では、先端開放スタブ４を方向性結合器１の結合端子に接続しているものを示したが、この実施の形態２では、その先端開放スタブ４に代えて、分布定数線路１１を方向性結合器１の結合端子に接続し、その分布定数線路１１に対して、周期的に複数の先端開放スタブ１２をシャントに装荷している点で、上記実施の形態１と相違している。
上記相違点以外は、上記実施の形態１と同一であるため、動作原理は、ほぼ実施の形態１と同じであるが、この実施の形態２では、分布定数線路１１に対して、先端開放スタブ１２を装荷することで、反射回路の反射位相特性の周波数分散性を意図的に付加している点で、上記実施の形態１と異なっている。
【００３０】
式（６）の整合条件を満たすために、負荷２の位相特性φに追随して、反射回路の反射位相特性を決定するに際し、負荷２の位相特性φが周波数分散性の大きな特性である場合、その位相特性φに合わせて、インピーダンス整合回路の反射回路の反射位相特性についても、周波数分散性を大きくする必要がある。
この実施の形態２は、負荷２の位相特性φが周波数分散性の大きな特性である場合、反射回路の反射位相特性も、周波数分散性を大きくすることができるようにしているものである。
【００３１】
即ち、この実施の形態２では、分布定数線路１１に対して、周期的に複数の先端開放スタブ１２を装荷することで、低域周波数帯では、単なる伝送線路とほぼ同一の低分散性の線路となるが、高域周波数帯では、先端開放スタブ１２の容量成分に起因する遅波効果（周波数が単なる伝送線路と比べて大きくなる効果）が生じ、反射位相特性の位相遅れが周波数の増加と共により大きくなってくる。
したがって、負荷２の位相特性φが高域周波数帯で、より多くの位相遅れを有するような特性の場合には、上記実施の形態１よりも、この実施の形態２の方が、より完全整合に近いインピーダンス整合を取ることが可能となる。
【００３２】
以上で明らかなように、この実施の形態２によれば、反射回路が、負荷２が有する反射係数に応じて電気長θが決定されている分布定数線路１１と、分布定数線路１１に対して、シャントに接続されている複数の先端開放スタブ１２とを用いて構成されているので、反射位相の周波数依存性が比較的大きな周波数分散性の高い負荷２に対して、低損失かつ広帯域なインピーダンス整合を実現することができる効果を奏する。
【００３３】
なお、この実施の形態２では、分布定数線路１１に対して、複数の先端開放スタブ１２がシャントに装荷されているものを示したが、分布定数線路１１に対して、複数の先端短絡スタブ（誘導性素子）がシャントに装荷されていてもよい。
また、図３に示すように、分布定数線路１１と直列に容量性素子１３（あるいは誘導性素子）が周期的（あるいは準周期的）に装荷されていてもよい。
また、分布定数線路１１に対して、シャントに装荷されている先端開放スタブ１２（あるいは先端短絡スタブ）と、分布定数線路１１に対して、直列に装荷されている容量性素子１３（あるいは誘導性素子）とが適宜組み合わされていてもよい。
これらの場合にも、反射回路における反射位相特性の周波数分散性を適宜制御することができる。
【００３４】
実施の形態３．
図４はこの発明の実施の形態３によるインピーダンス整合回路を示す構成図であり、図において、図１と同一符号は同一または相当部分を示すので説明を省略する。
図４のインピーダンス整合回路では、反射回路が、インピーダンス整合周波数帯域の中心周波数が共振周波数である１以上の共振回路を用いて構成されており、先端短絡スタブ２１ａ〜２１ｄのそれぞれが共振回路を構成している。
先端短絡スタブ２１ａ〜２１ｄは分布定数線路からなり、インピーダンス整合回路の動作中心周波数で電気長が約１／４波長である。
なお、先端短絡スタブ２１ａ〜２１ｄでは、隣の先端短絡スタブと電磁結合されてインターデジタル型結合線路が構成されている。
【００３５】
次に動作について説明する。
上記実施の形態１では、先端開放スタブ４を方向性結合器１の結合端子に接続しているものを示したが、この実施の形態３では、その先端開放スタブ４に代えて、隣接の先端短絡スタブ２１ａ〜２１ｄが電磁結合されているインターデジタル型結合線路を方向性結合器１の結合端子に接続している。
【００３６】
インターデジタル型結合線路を構成している先端短絡スタブ２１ａ〜２１ｄは、１／４波長分布定数共振器として機能するため、そのインターデジタル型結合線路は、計４個の結合した共振器群と見なすことができる。
一般に、計Ｎ個の結合した共振器群は、その結合度に応じて決まる下限周波数ｆＬから上限周波数ｆＨの間において、通過位相が約１８０°遷移することが知られている。
したがって、計Ｎ個の結合した共振器群は、通過位相の周波数に対する微係数が下記の式（７）で表される。
１８０Ｎ／（ｆＨ−ｆＬ）                                  （７）
【００３７】
一方、インターデジタル型結合線路と線路長の合計が同じになる線路（下限周波数ｆＬと上限周波数ｆＨの中間周波数で電気長が１／４波長になる線路）を単に計Ｎ個従続接続した線路を考えると、その通過位相の周波数に対する微係数は下記の式（８）で表され、式（７）のインターデジタル型結合線路の場合の微係数より小さくなる。
１８０Ｎ／（ｆＨ＋ｆＬ）                                  （８）
【００３８】
このことは、本発明によるインピーダンス整合回路の反射回路としてインターデジタル型結合線路を用いることで、上述した先端開放スタブ４や先端短絡スタブと比べて、ほぼ同一の寸法ながら、より多くの位相変化量が得られることを意味する。
したがって、負荷２の反射位相φが整合帯域内で大きく変化する場合には、この実施の形態３のインピーダンス整合回路を用いることで、回路の小型化を図ることが可能になる。
【００３９】
以上で明らかなように、この実施の形態３によれば、反射回路が、インピーダンス整合周波数帯域の中心周波数が共振周波数である先端短絡スタブ２１ａ〜２１ｄを用いて構成されているので、反射位相が整合周波数帯域内で大きく変化するような負荷２に対して、低損失かつ広帯域なインピーダンス整合を実現することができる効果を奏する。
【００４０】
実施の形態４．
図５はこの発明の実施の形態４によるインピーダンス整合回路を示す構成図であり、図において、図１と同一符号は同一または相当部分を示すので説明を省略する。
先端開放スタブ３１は分布定数線路から構成されており、先端開放スタブ３１は方向性結合器１の結合端子に接続され、インピーダンス整合回路の動作中心周波数で電気長が約Ｎ／２波長（Ｎは自然数）となる。
抵抗素子３２は先端開放スタブ３１と並列に接続されている。
【００４１】
次に動作について説明する。
上記実施の形態１では、先端開放スタブ４を方向性結合器１の結合端子に接続しているものを示したが、この実施の形態４では、先端開放スタブ３１を方向性結合器１の結合端子に接続し、更に、抵抗素子３２を先端開放スタブ３１と並列に接続している点で相違している。
【００４２】
上記実施の形態１では、負荷２の反射振幅｜Γ｜が整合帯域内でほぼ一定になる場合には、完全整合に近いインピーダンス整合が取れるが、時として、負荷２の反射振幅｜Γ｜は整合帯域の中心周波数で小さく、その帯域端で大きくなる場合がある。
その場合、負荷２の反射振幅｜Γ｜が小さく、ほぼ０となるような周波数においては、反射回路から信号源側に対して信号を反射させる必要はなく、逆に反射回路への入射波を吸収させる方がインピーダンス整合上好ましい。
【００４３】
この実施の形態４は、そのような状況に対応するためのものであり、反射回路を構成する先端開放スタブ３１が、中心周波数では並列共振状態となるため、その先端開放スタブ３１と並列に接続されている抵抗素子３２に入射波が吸収される。
一方、中心周波数からの周波数偏移が大きくなる場合には、先端開放スタブ３１によって反射回路の反射振幅が増加して１に近くなる。
抵抗素子３２の抵抗値Ｒを負荷２の反射振幅｜Γ｜の中心周波数近傍での値に合わせて適切に設定することにより、反射振幅｜Γ｜が整合帯域端で大きく、かつ、帯域中心で小さくなるような負荷２に対しても、広帯域に亘ってインピーダンス整合を取ることが可能となる。
【００４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１  方向性結合器、１ａ  入力端子、１ｂ  通過端子、２  負荷、３  無反射終端、４  先端開放スタブ、１１  分布定数線路、１２  先端開放スタブ（容量性素子）、１３  容量性素子、２１ａ〜２１ｄ  先端短絡スタブ（共振回路）、３１  先端開放スタブ、３２  抵抗素子。
【図１】
2012248949.tif 000003
【図２】
2012248949.tif 000004
【図３】
2012248949.tif 000005
【図４】
2012248949.tif 000006
【図５】
2012248949.tif 000007
【図６】
2012248949.tif 000008
【図７】
2012248949.tif 000009
【図８】
2012248949.tif 000010